(57)【要約】      （修正有）【課題】着用時に袴独自のクラシカルな雰囲気を醸し出して着姿の古典美を保持する役割を十分に果たすことが可能でありながら、袴着用時の見映えを飛躍的に向上させて美しい着姿の醸出を可能とする女袴として好適な袴を提供する。【解決手段】袴１は、前身頃と後身頃３とを有するスカート状の胴部４と、この胴部４の上縁に幅方向に延出して付設された結び紐５，６と、を含む袴本体７を備える。前身頃は無地または縞柄の袴地からなり、後身頃３は袴１の下に着用している着物の染め図柄に合わせた染め図柄１０を備えた袴地によって構成する。【選択図】図２
0003180941.tif 000002
【実用新案登録請求の範囲】
【請求項１】
前身頃と後身頃とを有するスカート状の胴部と、この胴部の上縁に幅方向に延出して付設された結び紐と、を含む袴本体を備える袴において、
前記前身頃は無地または縞柄の袴地からなり、前記後身頃は袴の下に着用している着物の染め図柄に合わせた染め図柄を後身頃の全面に表出して構成されてなることを特徴とする袴。
【請求項２】
請求項１に記載の袴において、
前記後身頃に備わっている染め図柄に連続して、該染め図柄に合わせた染め図柄を備える布地を前記前身頃の袴地表面の一部に重ね合わせて縫着してなる袴。
【請求項３】
請求項２に記載の袴において、
前記布地の形状は、前記後身頃との相引を上下方向にのびる底辺とし、この底辺の両端部から所定の傾斜角で底辺から離れる方向にのびて頂点で交わる一対の斜辺を備える三角形である袴。
【考案の詳細な説明】
【技術分野】
【０００１】
本考案は袴に係り、より詳しくは、袴着用時の見映えを飛躍的に向上させて美しい着姿の醸出を可能とする女袴として好適な袴に関する。
【背景技術】
【０００２】
従来より、前身頃と後身頃とを有するスカート状の胴部と、この胴部の上縁に幅方向に延出して付設された結び紐と、を含む袴本体を備える様々な袴が知られており、その袴地は、琥珀や綾織り、平織りや紋織りの袖平、御召平、絽平などの絹織物、その他の綿織物、ポリエステルを紡糸して得られた合成繊維などからなる無地または縞柄のものによって構成されている（たとえば、特許文献１参照）。
【先行技術文献】
【特許文献】
【０００３】
【特許文献１】実用新案登録第２５２６８５３号公報
【考案の概要】
【考案が解決しようとする課題】
【０００４】
前記特許文献１に記載されている袴は、その着用時に袴独自のクラシカルな雰囲気を醸し出して着姿の古典美を保持する役割を十分に果たすことが可能であるものの、その袴本体において、特に、目視領域の大きい前身頃と後身頃とが無地または縞柄によって構成されていることにより、袴着用時に醸出される見映えが無機的であるとの感を与えざるを得ない。
【０００５】
そこで、前身頃または後身頃の適所に刺繍により所望の図柄を所望の大きさで施した袴本体を備える袴が提供されている。この種の袴は、前記特許文献１に記載されている袴と比較して、袴着用時に醸出される見映えの無機的な感を若干緩和できる効果を発揮し得るものの、刺繍自体、繊細な描写が制限される手法であることにより、袴着用時の見映えを飛躍的に向上させて美しい着姿の醸出を期待するには不十分であるといえる。
【０００６】
本考案は、このような実情に鑑みて鋭意研究の結果提案されたものであって、その着用時に袴独自のクラシカルな雰囲気を醸し出して着姿の古典美を保持する役割を十分に果たすことが可能でありながら、袴着用時の見映えを飛躍的に向上させて美しい着姿の醸出を可能とする女袴として好適な袴の提供を目的とするものである。
【課題を解決するための手段】
【０００７】
前記目的を達成するために、本考案に係る袴は、  前身頃と後身頃とを有するスカート状の胴部と、この胴部の上縁に幅方向に延出して付設された結び紐と、を含む袴本体を備える袴において、
前記前身頃は無地または縞柄の袴地からなり、前記後身頃は袴の下に着用している着物の染め図柄に合わせた染め図柄を後身頃の全面に表出して構成されてなることを特徴としている。
【０００８】
このように構成されている袴によれば、その着用時に袴独自のクラシカルな雰囲気を醸し出して着姿の古典美を保持する役割を十分に果たすことが可能であるばかりか、当該袴着用者の着用姿態における後身姿は、着物の染め図柄と、該着物の染め図柄に合わせて袴本体の後身頃に備わっている染め図柄との二つの染め図柄が上下に連続して複合的に表現する斬新なデザイン性を発揮し、その見映えを飛躍的に向上させて美しい後身姿を醸出することが可能となる。また、当該袴着用者の着用姿態を左右両側から見た横身姿は、着物の染め図柄と、袴本体の後身頃における左右両側からの目視可能な領域に備わっている染め図柄との二つの染め図柄が上下に連続して複合的に表現する斬新なデザイン性を発揮し、その見映えを飛躍的に向上させて美しい横身姿を醸出することが可能となる。さらに、当該袴着用者の着用姿態を左右の斜め前側から見た斜め着姿は、着物の染め図柄と、袴本体の後身頃における左右の斜め前側からの目視可能な領域に備わっている染め図柄との二つの染め図柄が上下に連続して複合的に表現する斬新なデザイン性を発揮し、その見映えを飛躍的に向上させて美しい斜め着姿を醸出することが可能となる。
【０００９】
また、本考案に係る袴は、前記後身頃に備わっている染め図柄に連続して、該染め図柄に合わせた染め図柄を備える布地を前記前身頃の袴地表面の一部に重ね合わせて縫着し、前記前身頃の袴地表面の一部に袴の下に着用している着物の染め図柄を表出してなるものである。
これによると、当該袴着用者の着用姿態を左右両側から見た場合および左右の斜め前側から見た場合、前身頃の表面の一部に重ね合わせて縫着された着物の染め図柄を表出した布地の染め図柄の目視が可能となるので、より一層見映えを向上させた美しい横身姿および斜め着姿を醸出することができるとともに、当該袴着用者の着用姿態を正面から見た場合、前記布地に備わっている染め図柄の目視が可能となることで、見映えが無機的であるとの感を払拭して美しい正面着姿を醸出することができる。
【００１０】
さらに、本考案に係る袴は、前記布地の形状が、前記後身頃との相引を上下方向にのびる底辺とし、この底辺の両端部から所定の傾斜角で底辺から離れる方向にのびて頂点で交わる一対の斜辺を備える三角形であることが好ましい。これによれば、当該袴着用者の着用姿態を左右両側から見た場合、左右の斜め前側から見た場合および正面から見た場合、それぞれの着姿において三角形を呈する形状の前記布地に備わっている染め図柄が目視されることになり、この目視される染め図柄と当該袴着用者が袴の下に着用している着物の袖の染め図柄との連続によって、袴の下に小振り袖の着物を着用していても、中振り袖の着物を着用しているかのような感を与えることができる。
【考案の効果】
【００１１】
本考案の袴は、袴本体の前身頃が無地または縞柄の袴地からなり、前記後身頃は袴の下に着用している着物の染め図柄に合わせた染め図柄を後身頃の全面に表出して構成されなることにより、その着用時に袴独自のクラシカルな雰囲気を醸し出して着姿の古典美を保持する役割を十分に果たすことが可能でありながら、袴着用時の見映えを飛躍的に向上させて美しい着姿の醸出が可能である。
【図面の簡単な説明】
【００１２】
【図１】本考案に係る袴の一実施形態を示す正面図である。
【図２】本考案に係る袴の一実施形態を示す背面図である。
【図３】図１のＩＩＩ−ＩＩＩ線に沿って拡大して示す概略断面図である。
【図４】本考案に係る袴の着用姿態の第１実施形態を示す概略正面図である。
【図５】本考案に係る袴の着用姿態の第１実施形態を示す概略背面図である。
【図６】本考案に係る袴の着用姿態の第２実施形態を左の斜め前側から見た概略斜視図である。
【考案を実施するための形態】
【実施例】
【００１３】
図１は本考案に係る袴の一実施形態を示す正面図、図２は本考案に係る袴の一実施形態を示す背面図、図３は図１のＩＩＩ−ＩＩＩ線に沿って拡大して示す概略断面図である。
【００１４】
図１、図２および図３において、袴１は、前身頃２と後身頃３とを有するスカート状の胴部４と、前身頃２の上縁に幅方向に延出して付設された結び紐５と、後身頃３の上縁に幅方向に延出して付設された結び紐６と、を含む袴本体７を備えている。
【００１５】
図１に示す袴本体７の前身頃２は無地または縞柄の袴地からなり、この袴地は、琥珀や綾織り、平織りや紋織りの袖平、御召平、絽平などの絹織物、その他の綿織物、ポリエステルを紡糸して得られた合成繊維などの袴地によって構成されている。
また図２に示す袴本体７の後身頃３は、図５に示す袴１の下に着用している着物８の染め図柄９に合わせた染め図柄１０あるいは図６に示す着物１１の染め図柄１２に合わせた染め図柄１３を後身頃３の全面に表出して構成されている。この着物８の染め図柄９に合わせた染め図柄１０は、袴本体７の袴地を染めて袴本体７の後身頃３としていると共に、その色合いは着物８の染め図柄９と同一の色合いとしても、異なる色合いであってもよい。
さらに、結び紐５は無地または縞柄からなり、結び紐６は、染め図柄１０（図１，図２参照）あるいは染め図柄１３（図６参照）を備えている。なお、染め図柄１０あるいは染め図柄１３を備えた結び紐５を付設した構成であってもよい。
【００１６】
図１に示すように、袴本体７の前身頃２には、一の襞１４，１４、二の襞１５，１５および三の襞１６，１６からなる襞山１７を設けてあり、図２に示すように、袴本体７の後身頃３には、一の襞１８，１８、二の襞１９，１９からなる襞山２０を設けてある。
【００１７】
一方、袴本体７の後身頃３に備わっている染め図柄１０に連続して、図１および図４に示すように、該染め図柄１０に合わせた染め図柄２１を表出した布地２２を左右一対、袴本体７の前身頃２の表面の一部に重ね合わせて縫着されており（ただし、図６には、左側の布地２２のみが示されている）、図６に示すように、袴本体７の後身頃３に備わっている染め図柄１０に連続して、該染め図柄１０に合わせた染め図柄２３を前記前身頃２の袴地表面の一部に表出してなるもので、ひいては前記前身頃２の袴地表面の一部に袴の下に着用している着物８の染め図柄９を表出してなるものである。前記布地２２は、着物８の生地の染め図柄と同一のものを裁断して形成し、その色合いは着物８の染め図柄９と同一の色合いとしても、異なる色合いであってもよい。
【００１８】
図１に示すように、前記布地２２の形状は、たとえば、袴本体７後身頃３との相引２４を上下方向にのびる底辺２２ａとし、この底辺２２ａの両端部から所定の傾斜角で底辺２２ａから離れる方向にのびて頂点２２ｂで交わる一対の斜辺２２ｃ，２２ｃを備える三角形としてある。なお、布地２２の形状は三角形にのみ限定されるものではなく、任意の形状の選択が可能である。
【００１９】
前記実施形態のように、三角形の布地２２が袴本体７の前身頃２の袴地表面の一部に重ね合わせて縫着された構造は、図３に示すように、三角形の布地２２における底辺２２ａ側の延出部２２ｄを、袴本体７の前身頃２と後身頃３との相引２４の間に挟み込み、図１，図３に示すように、布地２２、前身頃２、布地２２における底辺２２ａ側の延出部２２ｄおよび後身頃３を一体に縫着２５するとともに、布地２２の一対の斜辺２２ｃ，２２ｃを前身頃２に縫着２６することによって得ることができる。
【００２０】
前記構成の袴１によれば、その着用時に袴１独自のクラシカルな雰囲気を醸し出して着姿の古典美を保持する役割を十分に果たすことが可能であるばかりか、袴１着用者の着用姿態における後身姿は、図５に示すように、着物８の染め図柄９と、該着物８の染め図柄９に合わせて袴本体７の後身頃３に備わっている染め図柄１０との二つの染め図柄９，１０が上下に連続して複合的に表現する斬新なデザイン性を発揮し、その見映えを飛躍的に向上させて美しい後身姿を醸出することが可能となり、図６に示す着物１１の染め図柄１２と、該着物１１の染め図柄１２に合わせて袴本体７の後身頃３に備わっている染め図柄１３との二つの染め図柄１２，１３が上下に連続して複合的に表現する斬新なデザイン性を発揮し、その見映えを飛躍的に向上させて美しい後身姿（図示省略）を醸出することが可能となる。
【００２１】
また、袴１着用者の着用姿態を左右両側から見た横身姿（図示省略）は、着物８の染め図柄９と、袴本体７の後身頃３における左右両側からの目視可能な領域に備わっている染め図柄１０とが上下に連続して複合的に表現する斬新なデザイン性を発揮し、その見映えを飛躍的に向上させて美しい横身姿を醸出することが可能となり、着物１１の染め図柄１２と、袴本体７の後身頃３における左右両側からの目視可能な領域に備わっている染め図柄１３とが上下に連続して複合的に表現する斬新なデザイン性を発揮し、その見映えを飛躍的に向上させて美しい横身姿を醸出することが可能となる。
【００２２】
さらに、第２実施形態では、図６に示すように、袴１着用者の着用姿態における左の斜め前側から見た斜め着姿は、着物１１の染め図柄１２と、袴１本体の後身頃３における左の斜め前側からの目視可能な領域に備わっている染め図柄１３との二つの染め図柄１２，１３が上下に連続して複合的に表現する斬新なデザイン性を発揮し、その見映えを飛躍的に向上させて美しい斜め着姿を醸出することが可能となり、第１実施形態では、図示していないが、着物８の染め図柄９と、袴１本体の後身頃３における左の斜め前側からの目視可能な領域に備わっている染め図柄１０との二つの染め図柄９，１０が上下に連続して複合的に表現する斬新なデザイン性を発揮し、その見映えを飛躍的に向上させて美しい斜め着姿を醸出することが可能となる。なお、袴１着用者の着用姿態における右の斜め前側から見た斜め着姿も、前記左の斜め前側から見た斜め着姿と同様の作用効果を発揮できる。
【００２３】
本考案に係る袴１は、袴本体７の後身頃３に備わっている染め図柄１０あるいは１３に連続して、該染め図柄１０あるいは１３に合わせた染め図柄２１あるいは２３を備える左右一対の布地２２を前身頃２の表面の一部に重ね合わせて縫着２５，２６しているので、袴１着用者の着用姿態を左右両側から見た場合には、この一対の布地２２に備わっている染め図柄２１あるいは２３の目視が可能となるので、より一層見映えを向上させた美しい横身姿を醸出することができる。
【００２４】
図４に示すように、袴１着用者の着用姿態を正面から見た場合、各布地２２に備わっている染め図柄２１の目視が可能となることで、見映えが無機的であるとの感を払拭して美しい正面着姿を醸出することができ、図６に示す袴１着用者の着用姿態を正面から見た場合も、各布地２２に備わっている染め図柄２３の目視が可能となることで、見映えが無機的であるとの感を払拭して美しい正面着姿を醸出することができる。
【００２５】
第２実施形態では、図６に示すように、袴１着用者の着用姿態を左の斜め前側から見た場合、布地２２に備わっている染め図柄２３の目視が可能となるので、より一層見映えを向上させた美しい横身姿を醸出することができ、図示していないが、右の斜め前側から見た場合にも、布地２２に備わっている染め図柄２３の目視が可能となるので、より一層見映えを向上させた美しい横身姿を醸出することができる。また、第１実施形態では、図示していないが、袴１着用者の着用姿態を左の斜め前側から見た場合、布地２２に備わっている染め図柄２１の目視が可能となるので、より一層見映えを向上させた美しい横身姿を醸出することができ、右の斜め前側から見た場合にも、布地２２に備わっている染め図柄２１の目視が可能となるので、より一層見映えを向上させた美しい横身姿を醸出することができる。
【００２６】
さらに、本考案に係る袴１は、各布地２２の形状が、袴本体７後身頃３との相引２４を上下方向にのびる底辺２２ａとし、この底辺２２ａの両端部から所定の傾斜角で相引２４から離れる方向にのびて頂点２２ｂで交わる一対の斜辺２２ｃ，２２ｃを備える三角形とされているので、当該袴１着用者の着用姿態を左右両側から見た場合、左右の斜め前側から見た場合および正面から見た場合、それぞれの着姿において三角形を呈する形状の布地２２に備わっている染め図柄２１または２３が目視されることになり、この目視される染め図柄２１または２３と当該袴１着用者が袴１の下に着用している着物８の袖８ａ（図４参照）の染め図柄９または着物１１の袖１１ａ（図６参照）の染め図柄１２との連続によって、袴１の下に小振り袖の着物８または１１を着用していても、中振り袖の着物８または１１を着用しているかのような感を与えることができる。
【産業上の利用可能性】
【００２７】
本考案の袴は、女性が卒業式や成人式などの式典出席時に着用される和装の格上げに有用である。
【符号の説明】
【００２８】
１  袴
２  前身頃
３  後身頃
４  胴部
５  前身頃側の結び紐（結び紐）
６  後身頃側の結び紐（結び紐）
７  袴本体
８  着物
９  着物の染め図柄
１０  後身頃の染め図柄
１１  着物
１２  着物１１の染め図柄
１３  後身頃の染め図柄
２１  布地の染め図柄
２２  布地
２２ａ  三角形布地の底辺
２２ｂ  三角形布地の頂点
２２ｃ  三角形布地の一対の斜辺
２３  布地の染め図柄
２４  相引
【図１】
0003180941.tif 000003
【図２】
0003180941.tif 000004
【図３】
0003180941.tif 000005
【図４】
0003180941.tif 000006
【図５】
0003180941.tif 000007
【図６】
0003180941.tif 000008